(57)【要約】【課題】  サポートフレームがテント展開後のテント内空間を拡大し、しかもテント展開操作過程全体を省力化し、便利にすることができる半円形折畳みテントサポートフレームの頂点部固定装置を提供する。【解決手段】  主に半円形折畳みテントサポートサポートフレームの頂点部固定装置で、該サポートフレームの中央頂点部には頂点部連接部品を設置し、該頂点部連接部品上には放射状に副サポート棒を設置し、該頂点部連接部品の下側にはサポート棒を設置する。該サポート棒上にはスライド動部品を設置し、該スライド動部品は該副サポート棒の数量に対応し放射状に折畳み可能棒組を可動設置する。該頂点部連接部品と該スライド動部品間はバネを可動状態で設置し、該バネはテントの折畳み時には圧縮状態にある。【選択図】  図４
0003123506.tif 000002
【実用新案登録請求の範囲】
【請求項１】
主にサポートフレームの中央頂点部には頂点部連接部品を設置し、該頂点部連接部品上には放射状に副サポート棒を設置し、該頂点部連接部品の下側にはサポート棒を設置し、該サポート棒上にはスライド動部品を設置し、該スライド動部品は該副サポート棒の数量に対応し放射状に折畳み可能棒組を可動設置し、
該サポート棒内部は中空で、その側壁は向かい合って２個の導槽を形成し、該サポート棒内にはスライドブロックを設置し、ピンは該スライドブロックを貫通し、しかもその両端は該導槽を貫通し、該サポート棒外周のスライド動部品上に固定し、バネは該中空のサポート棒内に自由に設置し、該頂点部連接部品と該スライドブロックの間に位置し、しかも該バネはテントの折畳み時には圧縮状態にあり、該サポート棒の下部には該スライド動部品を該サポート棒上に定位する固定装置を設置することを特徴とする半円形折畳みテントサポートフレームの頂点部固定装置。
【考案の詳細な説明】
【技術分野】
【０００１】
本考案は一種のテントに関する。特に一種の半円形折畳みテントサポートフレームの頂点部固定装置に係る。
【背景技術】
【０００２】
公知の半円形折畳みテントサポートフレーム構造は図1に示すように、該サポートフレームの中央頂点部に頂点部連接部品1を設置し、該頂点部連接部品1上には放射状に折畳み可能な棒組2を可動接続する。該棒組2は若干節の棒部品により組成し、各棒部品間は棒部品連接部品により相互に連接し、折畳みの便を図る。該頂点部連接部品1の下側にはサポート棒3を設置し、該サポート棒3上にはスライド動部品4を設置し、該スライド動部品4は各棒組2の数量に対応し放射状に副サポート棒5を可動接続する。該副サポート棒5は該棒組2の第一節棒部品をサポートする。該頂点部連接部品1と該スライド動部品4間にはバネ6を設置し、該バネ6はテントの折畳み時には圧縮状態にあり、テント展開時には、該バネ6の弾性回復力によりテントの各棒組2は自動的に展開する。
しかし、該半円形折畳みテントサポートフレームは主なサポートを提供する各棒組2がサポートフレーム上方に位置するため、テント展開後、テントの頂点は比較的細く尖り側壁を内縮させ、展開後のテント全体の外観はやや尖った円錐形を呈するため、テント内の空間は比較的小さい。
図2、3に示すように、別種の公知の半円形折畳みテントサポートフレームの該サポートフレームの中央頂点部にも頂点部連接部品1を設置するが、該頂点部連接部品1上には放射状副サポート棒5を可動接続する。頂点部連接部品1の下側には同様にサポート棒3を設置し、該サポート棒3上にはスライド動部品4を設置し、該スライド動部品4は該副サポート棒5数量に対応し放射状に折畳み可能な棒組2を可動設置する。該棒組2は同様に若干節の棒部品により組成し、各棒部品間は棒部品連接部品により相互に連接し、折畳みの便を図る。該副サポート棒5の反対端は該棒組2の第一節棒部品上に可動接続する。該頂点部連接部品1と該スライド動部品4間にはバネ6を設置し、該バネ6はテントの折畳み或いは展開時共に引き伸ばされた状態となる。また、該サポート棒3の下部には弾性凸粒7を固設し、該スライド動部品4の下部には係合孔41を開設する。該弾性凸粒7は弾性作用を受け該係合孔41中に係合し、これにより該スライド動部品4はサポート棒3上に定位される。
上記構造の半円形折畳みテントサポートフレームは折畳み時、該スライド動部品4の係合孔41中に係合する弾性凸粒7を軽く押すだけで、該弾性凸粒7と該係合孔41の係合固定状態を解除可能で、続いて該スライド動部品4を上方へと押せば、該各棒組2は張力が消失したことにより中心へと収縮する。展開時は、該弾性凸粒7と該係合孔41が係合固定を形成するまで該スライド動部品4を下方へと押すだけで、該頂点部連接部品1が該副サポート棒5を連動することにより、該各棒組2を引き開くことができる。このようにテントの展開と収納が共に非常に便利、しかも、テント展開状態が安定し、使用効果を確保することができる。この他、該構造サポートフレームの主なサポートを提供する棒組2が該副サポート棒5下方に位置するため、展開後のテント全体内部の頂点は比較的低くしかも比較的平坦で、テント側壁は円弧状に張り、テント内空間は明らかに大きくなる。
しかし、上記構造を詳細に点検すると、この種の構造の半円形折畳みテントサポートフレームには以下の欠点が存在することが分かる。
該バネ6は頂点部連接部品1とスライド動部品4間に設置し、しかもその両端はそれぞれ該頂点部連接部品1のスライド動部品4上に固定するため、テントが折畳み状態にある時、該スライド動部品4は該バネ6の弾性引力作用を受け上方に向かい該頂点部連接部品1に近づき続け、該スライド動部品4の位置を高くしてしまう。テントを展開しようとする時、このように高い位置にあるスライド動部品4を該バネ6の弾性引力から開放させ、該弾性凸粒7と該係合孔41が係合固定を形成するまで下方へと引き動かさなければならない、この動作において、使用者はより大きな力を必要とし操作が不便となる。
【考案の開示】
【考案が解決しようとする課題】
【０００３】
本考案は上記構造の問題点を解決した半円形折畳みテントサポートフレームの頂点部固定装置を提供するものである。
【課題を解決するための手段】
【０００４】
上記課題を解決するため、本考案は下記の半円形折畳みテントサポートフレームの頂点部固定装置を提供する。
それは主に一種の半円形折畳みテントサポートフレームの頂点部固定装置を提供し、それはテント展開後のテント内空間を拡大可能で、しかもテントの展開過程において操作はより便利で、省力となり、
すなわちそれは一種の半円形折畳みテントサポートフレームの頂点部固定装置で、該サポートフレームの中央頂点部には頂点部連接部品を設置し、該頂点部連接部品上には放射状に副サポート棒を設置し、該頂点部連接部品の下側にはサポート棒を設置し、該サポート棒上にはスライド動部品を設置し、該スライド動部品は該副サポート棒の数量に対応し放射状に折畳み可能棒組を可動設置し、該サポート棒内部は中空で、その側壁は向かい合って２個の導槽を形成し、該サポート棒内にはスライドブロックを設置し、ピンは該スライドブロックを貫通し、しかもその両端は該導槽を貫通し、該サポート棒外周のスライド動部品上に固定し、該バネは該中空のサポート棒内に自由に設置し、該頂点部連接部品と該スライドブロックの間に位置し、しかも該バネはテントの折畳み時には圧縮状態にあり、該サポート棒の下部には該スライド動部品を該サポート棒上に定位する固定装置を設置することを特徴とする半円形折畳みテントサポートフレームの頂点部固定装置である。
【考案の効果】
【０００５】
上記のように、本考案は同様に副サポート棒を上に、主なサポートを提供する棒組を下にする構造を採用するため、テント展開後、その内部テントの頂点は比較的低くしかも比較的平坦で、テント側壁は円弧状に張り、テント内空間を大きくすることができる。しかも、バネはテント折畳み状態時は圧縮状態にあるため、スライド動部品は弾性圧力の作用を受け低くなり、テントを展開しようとする時、２本の棒組をつかみ振動させるだけで、スライド動部品はバネの弾性推力作用により下向きにスライド移動し、各棒組を展開させ、この時、該スライド動部品を下向きに軽く引き動かすだけで、バネ嵌合位置に到達可能で、これにより該凸粒と該係合孔は係合固定状態を形成し、完全な展開を実現するため、操作過程全体は省力化可能で、しかも便利である。
【考案を実施するための最良の形態】
【０００６】
図4、5に示すように、本考案半円形折畳みテントサポートフレームの頂点部固定装置の該サポートフレームの中央頂点部には頂点部連接部品1を設置し、該頂点部連接部品1上には放射状に副サポート棒5を可動設置する。該頂点部連接部品1の下側にはサポート棒3を設置し、該サポート棒3上にはスライド動部品4を設置し、該スライド動部品4は該副サポート棒5数量に対応し放射状に折畳み可能な棒組2を可動設置する。該棒組2は若干節の棒部品により組成し、折畳みの便を図り、該副サポート棒5の反対端は該棒組2の第一節棒部品上に可動接続する。
該頂点部連接部品1と該スライド動部品4の間にはバネ6を可動状態で設置し、該バネ6はテントの折畳み時には圧縮状態にある。
【０００７】
該サポート棒3内部は中空で、その側壁は向かい合って２個の導槽31を形成し、サポート棒3内にはスライドブロック32を設置し、ピン33は該スライドブロック32を貫通する。しかもその両端は該導槽31を貫通し、該サポート棒3外周のスライド動部品4上に固定する。これにより、該スライド動部品4は該導槽31上下にそってスライド移動する。該バネ6は該中空のサポート棒3内に設置し、該頂点部連接部品1と該スライドブロック32間に位置する。
別に、該サポート棒3の下部には固定装置を設置可能で、これにより該スライド動部品4を該サポート棒3上に定位する。該固定装置はバネ嵌合構造Aで、該バネ嵌合構造Aの凸粒7は該サポート棒上の通孔から穿出し、該スライド動部品4の下部には係合孔41を開設する。該凸粒7は弾性作用を受け該係合孔41中に係合し、これにより該スライド動部品4はサポート棒3上に定位され、該係合孔41外には環状のボタン42を設置し、該凸粒7押圧の便を図る。
【０００８】
本考案は折畳み状態時には、該バネ6位置は圧縮状態にあるため、該スライド動部品4は弾性圧力の作用を受け位置は低くなる。テントを展開しようとする時には、該２本の棒組2をつかみ振動させるだけで、該スライド動部品4は該バネ6の弾性推力作用により下向きにスライド移動する。これにより該各棒組2は展開し、この時、該スライド動部品4を軽く下向きに引き動かすだけで、バネ嵌合位置に到達可能である。こうして該凸粒7と該係合孔41は係合固定状態を形成し、完全な展開を実現し、操作過程全体は省力化可能で、しかも便利である。
【図面の簡単な説明】
【０００９】
【図１】公知の半円形折畳みテントサポートフレームの構造指示図である。
【図２】別種の公知の半円形折畳みテントサポートフレームの構造指示図である。
【図３】図2のテントサポートフレーム頂点部固定装置の立体分解図である。
【図４】本考案の立体分解図である。
【図５】本考案の立体組合せ外観図である。
【符号の説明】
【００１０】
1      頂点部連接部品
2      棒組
3      サポート棒
31     導槽
32     スライドブロック
33     ピン
4      スライド動部品
41     係合孔
42     ボタン
5      副サポート棒
6      バネ
7      弾性凸粒
A      バネ嵌合構造
【図１】
0003123506.tif 000003
【図２】
0003123506.tif 000004
【図３】
0003123506.tif 000005
【図４】
0003123506.tif 000006
【図５】
0003123506.tif 000007